(57)【要約】【課題】本体ケーシング側を防水構造としなくても、脱毛ユニットのみを十分に洗浄でき、脱毛装置を安価に構成すると共に、脱毛ユニット用洗浄装置の使い勝手を良好にする。【解決手段】駆動源を内蔵した本体ケーシングと、本体ケーシングに着脱自在に装着されると共に上記駆動源により駆動して毛を引き抜く脱毛手段を備えた脱毛ユニット１とで脱毛装置が構成される。脱毛ユニット１を洗浄するために用いる脱毛ユニット用洗浄装置は、本体ケーシングから取り外した脱毛ユニット１を洗浄するための洗浄器９と、本体ケーシングから取り外した脱毛ユニット１を洗浄器９側に着脱自在に保持するための脱毛ユニット保持器２２とを備えている。【選択図】図１
2007260177.tif 000002
【特許請求の範囲】
【請求項１】
駆動源を内蔵した本体ケーシングと、本体ケーシングに着脱自在に装着されると共に上記駆動源により駆動して毛を引き抜く脱毛手段を備えた脱毛ユニットとで脱毛装置が構成され、上記脱毛ユニットを洗浄するために用いる脱毛ユニット用洗浄装置であって、上記本体ケーシングから取り外した脱毛ユニットを洗浄するための洗浄器と、上記本体ケーシングから取り外した脱毛ユニットを洗浄器側に着脱自在に保持するための脱毛ユニット保持器とを備えていることを特徴とする脱毛ユニット用洗浄装置。
【請求項２】
上記洗浄器は、洗浄液を溜める水槽部と、脱毛ユニット保持器を水槽部側に連結するための水槽側連結部とからなることを特徴とする請求項１記載の脱毛ユニット用洗浄装置。
【請求項３】
上記脱毛ユニット保持器に、本体ケーシングから取り外した脱毛ユニットの脱毛手段を駆動するための洗浄用駆動源を設けたことを特徴とする請求項１又は２記載の脱毛ユニット用洗浄装置。
【請求項４】
上記洗浄用駆動源を、水槽側連結部に連結される脱毛ユニット保持器の被連結部に設けたことを特徴とする請求項３記載の脱毛ユニット用洗浄装置。
【請求項５】
上記脱毛ユニット保持器の被連結部を水槽側連結部に対して上下動自在に連結したことを特徴とする請求項４記載の脱毛ユニット用洗浄装置。
【請求項６】
上記脱毛ユニットは回転により毛を引き抜くため回転シリンダーを備えており、上記洗浄用駆動源は回転シリンダーを本体ケーシング内の駆動源による回転方向とは逆方向に回転させることを特徴とする請求項３又は４記載の脱毛ユニット用洗浄装置。
【請求項７】
上記水槽部の内面からブラシを突設したことを特徴とする請求項２又は４又は５記載の脱毛ユニット用洗浄装置。
【発明の詳細な説明】
【技術分野】
【０００１】
本発明は、脱毛ユニット用洗浄装置に関し、詳しくは脱毛装置のうち脱毛ユニットのみを洗浄するための技術に関するものである。
【背景技術】
【０００２】
従来より、駆動源を内蔵した本体ケーシングに脱毛ユニットが着脱自在に装着され、脱毛ユニットに上記駆動源により回転する回転シリンダーと、回転シリンダーの回転により開閉駆動して毛を掴んで引き抜くための複数の脱毛爪とが設けられた脱毛装置が知られている（例えば、特許文献１参照）。
【０００３】
ところが、上記特許文献１に見られる従来例にあっては、脱毛ユニットを水洗いする際に、本体ケーシングを上向き、脱毛ユニットを下向きにして、脱毛ユニットのみを水に漬けた状態で回転シリンダーを駆動させて水洗いをしているが、このとき水が飛び跳ねて本体ケーシング内に浸入してしまい、そのため本体ケーシング内の駆動源が故障するおそれがある。そこで、本体ケーシングが水にかからないように気をつけながら水洗いをしなければならず、この場合、回転シリンダー内に付着した皮脂や毛（ここで毛とは引き抜かれた体毛、あるいは引き抜き時にちぎれた毛等のことをいう。）がなかなか取れないという問題がある。また、脱毛ユニットを十分に水洗いできるようにするため、本体ケーシングを防水構造にする試みもなされている。その一例として、従来は、本体ケーシング内の駆動源から回転シリンダーに駆動伝達するための駆動伝達手段の途中に防水部材を設けて、駆動源と回転シリンダーとの間を防水構造としている。この結果、汚れを取るのは脱毛ユニットだけであるにもかかわらず、本体ケーシングの防水化によって脱毛装置を安価に構成することができないという課題を有していた。
【特許文献１】特開２００１−１４９１３５号公報
【発明の開示】
【発明が解決しようとする課題】
【０００４】
本発明は上記の従来の問題点に鑑みて発明したものであって、本体ケーシング側を防水構造としなくても、脱毛ユニットのみを十分に洗浄することが可能となり、これにより脱毛装置を安価に構成できると共に、使い勝手が良好な脱毛ユニット用洗浄装置を提供することを課題とするものである。
【課題を解決するための手段】
【０００５】
前記課題を解決するために本発明は、駆動源を内蔵した本体ケーシングと、本体ケーシングに着脱自在に装着されると共に上記駆動源により駆動して毛を引き抜く脱毛手段を備えた脱毛ユニット１とで脱毛装置が構成され、上記脱毛ユニット１を洗浄するために用いる脱毛ユニット用洗浄装置であって、上記本体ケーシングから取り外した脱毛ユニット１を洗浄するための洗浄器９と、上記本体ケーシングから取り外した脱毛ユニット１を洗浄器９側に着脱自在に保持するための脱毛ユニット保持器２２とを備えていることを特徴としている。
このような構成とすることで、脱毛ユニット１を水洗いする際に、本体ケーシングから脱毛ユニット１を取り外して、脱毛ユニット１のみを洗浄器９にて水洗いができるので、脱毛ユニット１に付着した汚れ（例えば皮脂や毛屑等）を十分に洗い落とすことができる。しかも、脱毛ユニット１の洗浄の際は、本体ケーシングが脱毛ユニット１から切り離されているため、水が飛び跳ねて本体ケーシングにかかることもないので、水が本体ケーシング内の駆動源側に侵入することがなく、駆動源の故障を防止することができる。従って、従来のように本体ケーシングを防水構造にする必要がなくなり、脱毛装置を安価に構成できるようになる。
また、上記洗浄器９は、洗浄液を溜める水槽部２３と、脱毛ユニット保持器２２を水槽部２３側に連結するための水槽側連結部２４とからなるのが好ましく、この場合、水槽部２３と脱毛ユニット保持器２２とを水槽側連結部２４を介して一体化できるので、洗浄装置２の小型化が容易となる。
また、上記脱毛ユニット保持器２２に、本体ケーシングから取り外した脱毛ユニット１の脱毛手段を駆動するための洗浄用駆動源２５を設けるのが好ましく、この場合、脱毛ユニット１を水洗いする際に、洗浄用駆動源２５によって脱毛手段を駆動することができ、脱毛手段に巻きついた毛屑などを簡単に洗い落とすことができる。
また、上記洗浄用駆動源２５を、水槽側連結部２４に連結される脱毛ユニット保持器２２の被連結部２６に設けるのが好ましく、この場合、脱毛ユニット保持器２２と水槽側連結部２４とを連結する被連結部２６を利用して洗浄用駆動源２５を設けることができるので、洗浄用駆動源２５による洗浄効果の向上と洗浄装置２の小型化の両方を達成できる。
また、上記脱毛ユニット保持器２２の被連結部２６を水槽側連結部２４に対して上下動自在に連結するのが好ましく、この場合、被連結部２６を上方に移動させることで脱毛ユニット保持器２２への脱毛ユニット１の取り付け又は取り外しの際に水槽部２３が邪魔にならなくなり、取り付け又は取り外しが楽にできるようになり、使い勝手が一層良くなる。
また、上記脱毛ユニット１は回転により毛を引き抜くため回転シリンダー４を備えており、上記洗浄用駆動源２５は回転シリンダー４を本体ケーシング内の駆動源による回転方向とは逆方向に回転させるのが好ましく、この場合、脱毛の際には本体ケーシング内の駆動源により回転シリンダー４を回転させて脱毛効率を良くできるものでありながら、洗浄の際には、洗浄用駆動源２５が回転シリンダー４を逆方向に回転させるので、回転シリンダー４の歯車や回転シリンダー４内に設けられる脱毛爪５などに巻き付いた毛も取れやすくすることができる。
また、上記水槽部２３の内面からブラシ２７を突設するのが好ましく、この場合、例えば、脱毛ユニット１の回転シリンダー４内の脱毛爪５等に付着した皮脂や毛屑等をブラシ２７によって簡単且つ確実に取り除くことができ、洗浄効果が一層高められる。
【発明の効果】
【０００６】
本発明に係る脱毛ユニット用洗浄装置は、本体ケーシングから取り外した脱毛ユニットを洗浄するための洗浄器と、本体ケーシングから取り外した脱毛ユニットを洗浄器側に着脱自在に保持するための脱毛ユニット保持器とを備えているので、脱毛ユニットの洗浄の際にユーザーの肌を濡らしたり本体ケーシングを濡らしたりすることがなく、従って、本体ケーシング側を防水構造としなくても、脱毛ユニットのみを十分に洗浄することが可能となり、結果、脱毛装置を安価に構成できると共に、脱毛ユニット用洗浄装置の使い勝手を良好にできるものである。
【発明を実施するための最良の形態】
【０００７】
以下、本発明を添付図面に示す実施形態に基いて説明する。
本実施形態の脱毛装置は、美容などの目的のために体毛を除去するのに使用されるものであり、手で持つことができるような把持部を有すると共に駆動源（以下、「本体側モータ」という）を内蔵した本体ケーシングと、本体ケーシングに着脱自在に装着されると共に上記本体側モータにより駆動して毛を引き抜く脱毛手段を備えた脱毛ユニット１とで構成されている。
脱毛ユニット１内には、回転シリンダー４と、回転シリンダー４内に設けられる脱毛手段を構成し、回転シリンダー４の回転によって開閉して毛を引き抜くための複数の脱毛爪５と、本体側モータの回転出力を回転シリンダー４に伝達するための駆動伝達用の歯車列８ａ〜８ｇとが収納されている。
【０００８】
図５〜図８は脱毛ユニット１の一実施形態を示している。この脱毛ユニット１は、開閉駆動される脱毛爪５（図６（ｂ））と脱毛爪５で挟持した毛を引き抜く２つの円筒状の回転シリンダー４を一体に備えた脱毛用ヘッド１Ｈと、本体側取付部７とで構成される。２つの回転シリンダー４はその回転軸４ｂが互いに平行に配置され且つ同じ構造をしている。なお回転シリンダー４の回転により脱毛爪５を開閉駆動する構造は、例えば特開２００１−１４９１３５号公報などにより公知となっている技術を採用することができるので、詳細な説明は省略する。
また、脱毛用ヘッド１Ｈには２つの回転シリンダー４に対して１つの揺動支点３が設けられ、脱毛用ヘッド１Ｈが揺動支点３を中心として揺動可能に保持されている。本例では脱毛用ヘッド１Ｈの揺動支点３は、２つの回転シリンダー４の中間位置に配置されており、２つの回転シリンダー４，４が常に肌と密着するように揺動する構造となっている。また本例では、回転シリンダー４の回転駆動は本体ケーシング内の本体側モータ（図示せず）の回転で行われる。つまり、本体側モータで発生した回転運動は、図８に示す駆動伝達用の歯車列８ａ〜８ｇを介して、２つの回転シリンダー４にそれぞれ設けた歯車部４ａへと各々伝達される。このとき、揺動支点３と同軸に連結された歯車８ｆは、一方の回転シリンダー４の歯車部４ａと他方の回転シリンダー４の歯車部４ａとの間に挿入されているため、２つの回転シリンダー４，４が歯車８ｆを介して同方向に回転するようになっている。また、２つの回転シリンダー４間の隙間にはコーム１０が配置されている。コーム１０が肌に当たることで回転シリンダー４の肌に対する滑りが良くなり、スムーズな脱毛が可能となる。
【０００９】
また、脱毛ユニット１は、図７に示す本体側取付部７の下端に設けたフック１９が本体ケーシング側に取り付けられた左右一対のスライド枠（図示せず）の角穴内に挿入されてフック固定されるようになっている。そして、左右一対のスライド枠を操作して、本体側取付部７を本体ケーシングから着脱できるようにしている。この着脱構造は、特願２００２−８７０８７号公報等により公知となっており、ここでは詳細な説明は省略する。
【００１０】
また、本例では、図５に示すように、脱毛用ヘッド１Ｈの下端面を本体側取付部７側に向けて弧状に突曲した凸曲面１３とし、本体側取付部7の上端面を凸曲面１３が嵌まり込む凹曲面１４とし、凸曲面１３と凹曲面１４とを摺動自在に突き合わせた状態で、本体側取付部7の左右一対の保持片６０に対して脱毛用ヘッド１Ｈの揺動支点３が軸支されており、これにより、脱毛用ヘッド１Ｈは揺動支点３を中心として本体側取付部7に対して図１（ａ）の矢印Ｂで示す方向に揺動自在に保持されている。さらに凸曲面１３と凹曲面１４との対向面には、脱毛用ヘッド１Ｈを揺動方向Ｂにおける所定位置（本実施形態では中央位置）に向かってバネ付勢するためのバネ部材が設けられている。ここでは、バネ部材がコイルバネ１１からなり、本体側取付部7側の凹曲面１４の中央部に揺動方向Ｂに対向して２つのバネ支持用凸部１６，１７を設け、コイルバネ１１の両端をバネ支持用凸部１６，１７にて支持してある。さらに、脱毛用ヘッド１Ｈの凸曲面１３の中央には、揺動方向Ｂに長いストッパ用凹所１５が設けられ、ストッパ用凹所１５の両端がストッパ面１５ａ，１５ｂとなっている。そして、脱毛用ヘッド１Ｈは、図５（ａ）の状態から図５（ｂ）の一方のバネ支持用凸部１６が一方のストッパ面１５ｂに当たる状態（或いは他方のバネ支持用凸部１７が他方のストッパ面１５ａに当たる状態）になるまで揺動可能となる。またこのときコイルバネ１１の圧縮力によって脱毛用ヘッド１Ｈは常に所定位置のフリーの状態（図５（ａ））に戻る方向にバネ力が付与されるようになっている。
【００１１】
図５において、２つの回転シリンダー４が回転した状態で、脱毛用ヘッド１Ｈを肌に押し付けると、肌の凹凸に合わせて脱毛用ヘッド１Ｈが１つの揺動支点３を中心として揺動できると共に、脱毛用ヘッド１Ｈと一緒に脱毛爪５の開閉手段も揺動するので、２つの回転シリンダー４によって多数の毛を効率良く引き抜くことができると共に、脱毛用ヘッド１Ｈ全体が肌の凹凸に合わせて揺動しても複数の回転シリンダー４による脱毛位置が変化することがないので、刺激が少なく肌を傷めてしまうことがないだけでなく、毛を狭持する位置が肌面６に近いところとなるため、脱毛爪５が毛の根元を掴んで連続的に脱毛する動作が可能となり、特に短い毛を挟持して抜くことが容易となり、脱毛刺激を低減できるようになっている。
また図９は図５の応用例であり、脱毛用ヘッド１Ｈの揺動支点３を回転シリンダー４，４間の中央よりも下側に寄せて配置している。また、脱毛用ヘッド１Ｈを揺動方向Ｂにバネ付勢するバネ部材として、ねじりコイルバネ１２を用いている。本例では、本体側取付部7側の凹曲面１４の中央部にねじりコイルバネ１２を収納する凹所１８を設け、脱毛用ヘッド１Ｈの凸曲面１３の中央に揺動方向Ｂに対向して２つのバネ押え２０，２１を設けている。そして、脱毛用ヘッド１Ｈは、図９（ａ）の状態から図９（ｂ）の一方のバネ押え２１に当たる状態（或いは他方のバネ押え２０に当たる状態）まで揺動可能となる。またこのとき、ねじりコイルバネ１２によって脱毛用ヘッド１Ｈは常にフリーの状態（図９（ａ））に戻るようなバネ力が付与されるので、前記図５のコイルバネ１１を用いた場合と同様、回転シリンダー４の肌面６への密着性を高めることができると共に、脱毛用ヘッド１Ｈがフリーの状態にあるときにもバネ付勢によってがたつきがなく、常に同じ位置に静止できる構造となる。
【００１２】
なお、図５〜図９の実施形態では、２つの回転シリンダー４，４を一体化した脱毛用ヘッド１Ｈを説明したが、回転シリンダー４の数は１個でも、３個以上でもよい。
次に、本発明に係る脱毛ユニット用洗浄装置２を説明する。脱毛ユニット用洗浄装置２は、脱毛ユニット１のみを洗浄するための洗浄器９と、本体ケーシングから取り外した脱毛ユニット１を洗浄器９側に着脱自在に保持するための脱毛ユニット保持器２２とで主体が構成されている。
洗浄器９は、図３に示すように、洗浄液を溜める水槽部２３と、脱毛ユニット保持器２２を水槽部２３側に連結するための水槽側連結部２４とからなり、水槽部２３と脱毛ユニット保持器２２とが水槽側連結部２４を介して一体化されている。水槽部２３の内面にはブラシ２７が突設されている。ブラシ２７は、脱毛ユニット１を水槽部２３に浸漬した際に、脱毛ユニット１の回転シリンダー４に設けた脱毛爪５等に付着した皮脂や毛屑等を確実に取り除く働きをする。
水槽部２３の一側端側から、上方に開口した有底筒状の水槽側連結部２４が立設されている。水槽側連結部２４の上端の開口からは後述する脱毛ユニット保持器２２の被連結部２６の一部が上下動自在に差し込み自在とされる。
水槽部２３の他側端側からはスタンド２８が立設され、スタンド２８の上端に乾燥用のファン２９が取り付けられ、ファン２９から脱毛ユニット保持器２２にて保持された脱毛ユニット１に向かって風を送ることで、脱毛ユニット１を乾燥させるようにしている。さらにファン２９を覆うカバー２９ａの外面にはファン２９から脱毛ユニット１に吹き付けられる風を暖めるためのヒーター３０が取り付けられている。
一方、脱毛ユニット保持器２２は、水槽側連結部２４に連結される被連結部２６と、脱毛ユニット１を着脱自在に保持する脱毛ユニット着脱部３１とからなる。
ここでは、被連結部２６は水槽側連結部２４に対して上下動自在に連結されている。被連結部２６の上下動方向は、水槽部２３に対して脱毛ユニット着脱部３１を近接・離反する方向と一致している。
また被連結部２６は側面視で略逆Ｕ字状に形成され、水槽側連結部２４に連結される第１垂直部２６ａと、下端に脱毛ユニット着脱部３１が設けられる第２垂直部２６ｂと、両垂直部の上端間を接続する水平部２６ｃとが一体に形成されている。第１垂直部２６ａの外面と水槽側連結部２４の内面との摺接面には、上下複数箇所 （本例では２箇所）に凹凸嵌合部３２ａ、３２ｂが設けられており、下側の凹凸嵌合部３２ａによって被連結部２６全体を下降位置に仮保持でき、上側の凹凸嵌合部３２ｂによって被連結部２６全体を上昇位置で仮保持できるようになっている。
また第２垂直部２６ｂの上端側にはモータからなる洗浄用駆動源２５が設けられている。この洗浄用駆動源２５は、脱毛ユニット着脱部３１で保持した脱毛ユニット１の回転シリンダー４を駆動するために用いられる。また本例では、洗浄用駆動源２５による回転シリンダー４の回転方向を、本体ケーシング内の本体側モータによる回転方向とは逆方向となるように設定してある。なお、洗浄用駆動源２５によって脱毛手段に設けた回転シリンダー４を駆動させる方法以外に、他の方法として、例えば水槽部２３に洗浄液を撹拌したり振動させたりする機能を付加することも可能である。
さらに、脱毛ユニット着脱部３１の下端開口は、図４に示すように、封水用基台３３の下面部にて塞がれており、封水用基台３３の下面部には一対のフック取付け部３４が設けてあり、脱毛ユニット１の下面部に設けた一対のフック１９を一対のフック取付け部３４に着脱自在に取付けることで脱毛ユニット着脱部３１に対して脱毛ユニット１を着脱自在に取付けることができるようにしている。このフック取付け部３４にはフック１９との係止を解除するための左右一対の着脱釦３６を設け、各着脱釦３６を脱毛ユニット着脱部３１の両側面に設けた孔３７より外方に突出させている。着脱釦３６を押し込み操作することで、簡単にフック取付け部３４とフック１９との係止を解除することができるものである。
さらに、脱毛ユニット着脱部３１の下端面からは、洗浄用駆動源２５の断面角形の出力軸２５ａが突設されている。この出力軸２５ａを、脱毛ユニット１の下端面から突出する入力側歯車４０の断面角形凹所４０ａ（図５）に差し込んだ状態で、脱毛ユニット１に設けたフック１９を脱毛ユニット着脱部３１に設けたフック取付け部３４に係止させることにより、脱毛ユニット１が脱毛ユニット着脱部３１に取り付けられ且つ洗浄用駆動源２５と回転シリンダー４とが入力側歯車４０を介して連結されるようになっている。この脱毛ユニット１と脱毛ユニット着脱部３１の着脱連結方式は、従来（例えば、特願２００２−８７０８７号公報等）により公知となっている脱毛ユニット１と本体ケーシングとの着脱連結方式と同じ仕組みである。
上記構成によれば、脱毛ユニット１を水洗いする際に、本体ケーシングから脱毛ユニット１を取り外して、脱毛ユニット１を脱毛用ヘッド１Ｈが下向きとなるように逆にして、脱毛ユニット保持器２２の脱毛ユニット着脱部３１に装着する。このとき、図２に示すように、脱毛ユニット保持器２２の被連結部２６を上方に移動させると上側の凹凸嵌合部３２ｂによって上昇位置で仮保持でき、脱毛ユニット着脱部３１が水槽部２３から離れることで脱毛ユニット１の取り付けを楽に行なうことができる。その後、図１に示すように、脱毛ユニット保持器２２の被連結部２６を押し下げると下側の凹凸嵌合部３２ａによって下降位置で仮保持でき、脱毛ユニット着脱部３１が水槽部２３に接近することで、脱毛ユニット１の脱毛用ヘッド１Ｈを水槽部２３内の洗浄液に十分に浸漬できる。この状態で、洗浄用駆動源２５を駆動して回転シリンダー４を回転駆動することにより脱毛用ヘッド１Ｈを水洗いできるので、脱毛ユニット１に付着した汚れ、例えば、回転シリンダー４に巻き付いたり付着している毛や皮脂、或いは脱毛爪５に付着している毛や皮脂等を水洗いにより簡単に除去できる。また本例では洗浄用駆動源２５による回転シリンダー４の回転方向が、本体ケーシング内の本体側モータによる回転方向と逆方向となっているので、脱毛の際に回転シリンダー４の歯車や回転シリンダー４内の脱毛爪５などに巻き付いた毛が、回転シリンダー４の逆回転によって一層取れやすくなる。そのうえ、水槽部２３の内面から突設したブラシ２７に脱毛用ヘッド１Ｈを押し付けたり擦ったりすることで、回転シリンダー４に設けた脱毛爪５等に付着した皮脂や毛屑等をブラシ２７によって簡単且つ確実に取り除くことができるので、洗浄効果が十分に得られる。
【００１３】
また、脱毛ユニット保持器２２を用いて脱毛ユニット１を洗浄器９側に着脱自在に保持できるようにしたので、洗浄の際にユーザーの肌を濡らしたりすることもないため、使い勝手が良くなる。そのうえ脱毛ユニット１の洗浄の際は、本体ケーシングが脱毛ユニット１から切り離されているため、水が飛び跳ねて本体ケーシングにかかることもないので、水が本体ケーシング内の本体側モータ側に侵入することがなく、本体側モータの故障を防止することができる。また、脱毛ユニット１は水で濡れるが、脱毛ユニット１内には回転シリンダー４や駆動伝達用の歯車列８ａ〜８ｇなどが収納されているのみで、モータのような駆動源は内蔵されないため、脱毛ユニット１を防水構造にする必要はない。しかも、従来のように本体ケーシングを防水構造にする必要もないため、脱毛装置を安価に構成できるようになる。
さらに、水槽部２３と脱毛ユニット保持器２２とが水槽側連結部２４を介して一体化されているので、洗浄装置２の小型化を容易に図ることができる。さらに脱毛ユニット保持器２２と水槽側連結部２４とを連結する被連結部２６を利用して本体側モータからなる洗浄用駆動源２５を設けているので、洗浄装置全体がコンパクトとなり、そのうえ、被連結部２６を水槽側連結部２４に対して上下動自在としたので、水洗いをしないときは、脱毛ユニット保持器２２全体を下方に押し下げて配置できるので、洗浄時以外には洗浄装置１全体を収納場所が制約されないように背の低い状態にコンパクト化することができる利点もある。
さらに本例では、洗浄後に、脱毛ユニット１を脱毛ユニット保持器２２に保持したままの状態で、濡れた脱毛ユニット１をファン２９からの送風によって乾かすことができるので、洗浄した脱毛ユニット１を脱毛ユニット保持器２２から取り外してすぐに本体ケーシングに取り付ける場合でも、脱毛ユニット１は乾燥しているため本体ケーシングを水で濡らす心配がない。従って、本体ケーシング側を防水構造としなくても済む。また脱毛ユニット１を乾かす風をヒーター３０によって温風にすることで、乾燥時間を早めることができ、使い勝手が更に良好となる。
【図面の簡単な説明】
【００１４】
【図１】本発明の一実施形態を説明する側面断面図である。
【図２】同上の脱毛ユニットを脱毛ユニット保持器に接続した状態を説明する側面断面図である。
【図３】同上の脱毛ユニット用洗浄装置の側面断面図である。
【図４】同上の脱毛ユニット着脱部に脱毛ユニットを連結する場合を説明する側面断面図である。
【図５】（ａ）（ｂ）は同上の回転シリンダーの揺動動作を説明する側面断面図であり、図６（ｂ）のＣ−Ｃ線に沿った断面図である。
【図６】（ａ）（ｂ）は同上の脱毛ユニットの背面図、正面図である。
【図７】同上の脱毛ユニットの正面断面図である。
【図８】（ａ）は同上の脱毛ユニットの斜視図、（ｂ）は刃カバーを取り外した状態の斜視図、（ｃ）は回転シリンダーへの駆動伝達部を説明する斜視図、（ｄ）は脱毛用ヘッドの斜視図である。
【図９】（ａ）（ｂ）は本発明の他の実施形態の側面断面図である。
【符号の説明】
【００１５】
１  脱毛ユニット
１Ｈ  脱毛用ヘッド
２  洗浄装置
４  回転シリンダー
９  洗浄器
２２  脱毛ユニット保持器
２３  水槽部
２４  水槽側連結部
２５  洗浄用駆動源
２６  被連結部
【図１】
2007260177.tif 000003
【図２】
2007260177.tif 000004
【図３】
2007260177.tif 000005
【図４】
2007260177.tif 000006
【図５】
2007260177.tif 000007
【図６】
2007260177.tif 000008
【図７】
2007260177.tif 000009
【図８】
2007260177.tif 000010
【図９】
2007260177.tif 000011